(57)【要約】【課題】薬剤の付着を防止できる薬剤吹き込み装置および排ガス処理設備を提供する。【解決手段】薬剤吹き込み装置５は、ガスダクト３に接続された輸送配管５１と、輸送配管５１内に薬剤を供給する薬剤供給装置５２と、輸送配管５１に接続され輸送配管５１に供給された薬剤をガスダクト３へ送るための空気の流れを形成するブロワ５３と、アルコールが含まれる付着防止剤を輸送配管５１内に噴霧する付着防止剤供給装置６０と、を有している。【選択図】図２
0003132902.tif 000002
【実用新案登録請求の範囲】
【請求項１】
ガスダクト内を流れる排ガスに対して中和処理のための薬剤を吹き込む薬剤吹き込み装置であって、
前記ガスダクトに接続された輸送配管と、
前記輸送配管内に前記薬剤を供給する薬剤供給装置と、
前記輸送配管に接続され、前記輸送配管に供給された前記薬剤を前記ガスダクトへ送るための空気の流れを形成する送風機と、
アルコールが含まれる付着防止剤を前記輸送配管内に噴霧する付着防止剤供給装置と、
を備えた薬剤吹き込み装置。
【請求項２】
前記付着防止剤は、アルコール水溶液である、
請求項１に記載の薬剤吹き込み装置。
【請求項３】
前記付着防止剤供給装置は、前記輸送配管に設けられた噴霧ノズルと、前記付着防止剤を貯留する貯留槽と、前記貯留槽に接続され前記付着防止剤を前記噴霧ノズルに送るポンプと、を有している、
請求項１または２に記載の薬剤吹き込み装置。
【請求項４】
前記付着防止剤供給装置は、前記噴霧ノズルに圧縮空気を供給する空気圧縮機をさらに有している、
請求項３に記載の薬剤吹き込み装置。
【請求項５】
前記送風機は、前記輸送配管において前記薬剤供給装置から前記薬剤が供給される供給位置の上流側に配置されており、
前記付着防止剤供給装置は、前記輸送配管において前記供給位置の上流側に前記付着防止剤を供給する、
請求項１から４のいずれかに記載の薬剤吹き込み装置。
【請求項６】
前記付着防止剤供給装置は、前記輸送配管において前記供給位置および送風機との間に前記付着防止剤を供給する、
請求項５に記載の薬剤吹き込み装置。
【請求項７】
前記送風機は、前記輸送配管において前記薬剤供給装置から前記薬剤が供給される供給位置の下流側に配置されており、
前記付着防止剤供給装置は、前記輸送配管において前記供給位置の上流側に前記付着防止剤を供給する、
請求項１から４のいずれかに記載の薬剤吹き込み装置。
【請求項８】
前記薬剤供給装置から供給される前記薬剤を粉砕し、粉砕した前記薬剤を前記輸送配管内に供給する粉砕機をさらに備え、
前記噴霧ノズルは、前記粉砕機の内部または前記粉砕機の上流側に設けられている、
請求項７に記載の薬剤吹き込み装置。
【請求項９】
前記噴霧ノズルの噴霧粒子径は、１０〔μｍ〕以下である、
請求項１から８のいずれかに記載の薬剤吹き込み装置。
【請求項１０】
前記付着防止剤の供給量は、前記薬剤供給装置から供給される前記薬剤の量に対して１００〜４００〔重量ｐｐｍ〕の範囲である、
請求項１から９のいずれかに記載の薬剤吹き込み装置。
【請求項１１】
薬剤を用いて排ガスに含まれる酸性ガスを中和処理するとともに、前記排ガスに含まれる粉塵を除去するための排ガス処理設備であって、
前記排ガスが流れるガスダクトと、
前記ガスダクトに接続され、前記粉塵を除去する集じん装置と、
前記ガスダクトにおいて前記集じん装置の上流側に前記薬剤を吹き込む請求項１から１０のいずれかに記載の薬剤吹き込み装置と、
を備えた排ガス処理設備。
【考案の詳細な説明】
【技術分野】
【０００１】
本考案は、薬剤吹き込み装置および排ガス処理設備、特に、排ガスに含まれる酸性ガスを中和処理するための薬剤吹き込む装置およびそれを備えた排ガス処理設備に関する。
【背景技術】
【０００２】
ごみを焼却した際に発生する排ガスを、外部に放出できるレベルに清浄化するために、ごみ焼却施設には排ガス処理設備が設けられている。排ガスには、塩化水素（ＨＣｌ）や硫黄酸化物（ＳＯｘ）などの酸性ガスが含まれている。このため、排ガス処理設備には、アルカリ性の粉体を主成分とする薬剤をガスダクト内に吹き込む薬剤吹き込み装置が設けられている。具体的には、排ガス処理設備は主に、ガスダクトと、集じん装置と、薬剤吹き込み装置と、を有している。集じん装置としては、例えばバグフィルタ（ろ過式集じん装置）が考えられる。集じん装置により、排ガスに含まれる飛灰などの粉塵および酸性ガスと薬剤との反応生成物などが除去される。
【０００３】
薬剤吹き込み装置は、例えば、輸送配管と、薬剤供給装置と、送風機と、を有している。輸送配管はガスダクトに接続されている。薬剤供給装置は輸送配管に薬剤を供給する。送風機は輸送配管に供給された薬剤をガスダクトへ送る。
【０００４】
この薬剤吹き込み装置では、輸送配管に供給された薬剤は、送風機から供給される空気によりガスダクトへ送られる。この結果、ガスダクトに薬剤が供給され、ガスダクト内および集じん装置内で酸性ガスが中和される（例えば、特許文献１を参照）。
【特許文献１】特開平８−２２９３４６号公報
【考案の開示】
【考案が解決しようとする課題】
【０００５】
しかし、例えば、薬剤が消石灰である場合、装置の内部に薬剤が付着する傾向にある。輸送配管内に薬剤が付着すると、輸送配管が薬剤により閉塞するおそれがある。このため、例えば、作業員が輸送配管を定期的にハンマリングすることで、薬剤の付着を防止する必要がある。施設の生産性を考慮すると、薬剤の付着自体を抑制できることが好ましい。消石灰以外の粉体の薬剤についても同様である。
【０００６】
このように、排ガス処理設備において、輸送配管への薬剤の付着を防止できる装置が求められている。
【０００７】
本考案の課題は、薬剤の付着を防止できる薬剤吹き込み装置および排ガス処理設備を提供ことにある。
【課題を解決するための手段】
【０００８】
第１の考案に係る薬剤吹き込み装置は、ガスダクト内を流れる排ガスに対して中和処理のための薬剤を吹き込む装置である。この薬剤吹き込み装置は、ガスダクトに接続された輸送配管と、輸送配管内に薬剤を供給する薬剤供給装置と、輸送配管に接続され輸送配管に供給された薬剤をガスダクトへ送るための空気の流れを形成する送風機と、輸送配管内にアルコールが含まれる付着防止剤を噴霧する付着防止剤供給装置と、を備えている。
【０００９】
この薬剤吹き込み装置では、輸送配管内に供給された薬剤が送風機によりガスダクトへ送られる。このとき、付着防止剤供給装置により輸送配管内に付着防止剤が噴霧される。このため、輸送配管に薬剤が付着するのを防止できる。
【００１０】
ここで、薬剤としては、例えば消石灰を主成分とするカルシウム系薬剤および炭酸水素ナトリウムを主成分とするナトリウム系薬剤などが挙げられる。また、送風機の配置は、輸送配管に薬剤が供給される位置の上流側および下流側のいずれの場合も考えられる。ここで、上流側および下流側とは、輸送配管における薬剤の流れ方向を基準としている。なお、輸送配管には、薬剤が輸送される配管の他に、薬剤を輸送するための空気が流れる配管も含まれる。
【００１１】
第２の考案に係る薬剤吹き込み装置は、第１の考案に係る装置において、付着防止剤がアルコール水溶液である。
【００１２】
ここでは、付着防止剤がアルコール水溶液であるため、安価なランニングコストで薬剤の付着を防止できる。
【００１３】
ここで、アルコール水溶液としては、例えば、エチレングリコールの水溶液およびブロピレングリコールの水溶液などが挙げられる。
【００１４】
第３の考案に係る薬剤吹き込み装置は、第１または第２の考案に係る装置において、付着防止剤供給装置が、輸送配管に設けられた噴霧ノズルと、付着防止剤を貯留する貯留槽と、貯留槽に接続され付着防止剤を噴霧ノズルに送るポンプと、を有している。
【００１５】
この場合、噴霧ノズルにより付着防止剤の粒子を細かくすることができる。これにより、付着防止効果を高めることができる。
【００１６】
ここで、噴霧ノズルとして、例えば、１流体ノズルや２流体ノズルなどが挙げられる。
【００１７】
第４の考案に係る薬剤吹き込み装置は、第３の考案に係る装置において、付着防止剤供給装置が噴霧ノズルに圧縮空気を供給する空気圧縮機をさらに有している。
【００１８】
この場合、圧縮空気を用いることで噴霧ノズルの噴霧状態が向上し、付着防止剤の粒子をさらに細かくすることができる。
【００１９】
ここで、噴霧ノズルとして、例えば、２流体ノズルなどが挙げられる。
【００２０】
第５の考案に係る薬剤吹き込み装置は、第１から第４のいずれかの考案に係る装置において、送風機が、輸送配管において薬剤供給装置から薬剤が供給される供給位置の上流側に配置されている。付着防止剤供給装置は、輸送配管において供給位置の上流側に付着防止剤を供給する。
【００２１】
ここで、上流側とは、輸送配管における薬剤の流れ方向を基準としている。
【００２２】
第６の考案に係る薬剤吹き込み装置は、第５の考案に係る装置において、付着防止剤供給装置が輸送配管において供給位置および送風機との間に付着防止剤を供給する。
【００２３】
第７の考案に係る薬剤吹き込み装置は、第１から第４のいずれかの考案に係る装置において、送風機が、輸送配管において薬剤供給装置から薬剤が供給される供給位置の下流側に配置されている。付着防止剤供給装置は、輸送配管において供給位置の上流側に付着防止剤を供給する。
【００２４】
ここで、上流側および下流側とは、輸送配管における薬剤の流れ方向を基準としている。
【００２５】
第８の考案に係る薬剤吹き込み装置は、第７の考案に係る装置において、薬剤供給装置から供給される薬剤を粉砕し、粉砕した薬剤を輸送配管内に供給する粉砕機をさらに備えている。噴霧ノズルは、粉砕機の内部または粉砕機の上流側に設けられている。
【００２６】
第９の考案に係る薬剤吹き込み装置は、第１から第８のいずれかの考案に係る装置において、噴霧ノズルの噴霧粒子径が１０〔μｍ〕以下である。
【００２７】
第１０の考案に係る薬剤吹き込み装置は、第１から第９のいずれかの考案に係る装置において、付着防止剤の供給量が薬剤供給装置から供給される薬剤の量に対して１００〜４００〔重量ｐｐｍ〕の範囲である。
【００２８】
第１１の考案に係る排ガス処理設備は、薬剤を用いて排ガスに含まれる酸性ガスを中和処理するとともに、排ガスに含まれる粉塵を除去するための設備である。この排ガス処理設備は、排ガスが流れるガスダクトと、ガスダクトに接続され、粉塵を除去する集じん装置と、ガスダクトにおいて集じん装置の上流側に薬剤を吹き込む第１から第１０のいずれかの考案に係る薬剤吹き込み装置と、を備えている。
【００２９】
この排ガス処理設備では、第１から第１０の考案に係る薬剤吹き込み装置を備えているため、輸送配管に薬剤が付着するのを防止でき、薬剤の吹き込み量の安定化を図ることができる。これにより、排ガス処理設備の性能を向上させることができる。
【００３０】
ここで、集じん装置としては、例えば、ろ過式集じん装置および電気式集じん装置などが挙げられる。
【考案の効果】
【００３１】
本考案に係る薬剤吹き込み装置および排ガス処理設備では、上記の構成を有しているため、薬剤の付着を防止することができる。
【考案を実施するための最良の形態】
【００３２】
以下、図面を参照しながら本考案の実施形態について説明する。
【００３３】
〔第１実施形態〕
＜排ガス処理設備の構成＞
図１を用いて本考案の第１実施形態に係る排ガス処理設備１の構成について説明する。図１は排ガス処理設備１の概略構成図である。
【００３４】
排ガス処理設備１は、排ガスに含まれる酸性ガスを中和処理するとともに、排ガスに含まれる粉塵および中和による反応生成物などを除去するための設備である。具体的には図１に示すように、排ガス処理設備１は主に、排ガスの温度を所定の温度まで下げる減温装置２と、主に排ガスに含まれる粉塵を除去する集じん装置としてのバグフィルタ４と、減温装置２およびバグフィルタ４を接続するガスダクト３と、ガスダクト３内に薬剤を吹き込む薬剤吹き込み装置５と、を有している。本実施形態では、薬剤として消石灰を主成分とするカルシウム系薬剤を例に説明する。
【００３５】
減温装置２は、例えば、燃焼装置（図示せず）などを含む燃焼設備（図示せず）で発生する排ガスの温度を下げるための装置であり、燃焼設備にダクトにより接続されている。減温装置２は排ガスに対して冷却水を噴霧することで排ガスを減温する。
【００３６】
バグフィルタ４は、ろ過式集じん装置であり、複数のろ布（図示せず）を有している。排ガスが複数のろ布を通過することにより、集じんが行われるとともに、中和処理が促進される。バグフィルタ４は誘引通風機７に接続されている。誘引通風機７により、減温装置２、ガスダクト３およびバグフィルタ４の内部の圧力は、大気圧よりも低い圧力（負圧）に維持されている。
【００３７】
＜薬剤吹き込み装置の構成＞
図２を用いて薬剤吹き込み装置５の構成について説明する。図２は薬剤吹き込み装置５の概略構成図である。
【００３８】
図２に示すように、薬剤吹き込み装置５は主に、ガスダクト３に接続された輸送配管５１と、薬剤供給装置５２と、送風機としてのブロワ５３と、付着防止剤を供給するための付着防止剤供給装置６０と、各装置の動作を制御する制御装置５４と、を有している。
【００３９】
薬剤供給装置５２は、薬剤を貯留するための薬剤貯留槽５５と、貯留された薬剤を輸送配管５１に供給するための定量供給機５６と、を有している。定量供給機５６は、薬剤貯留槽５５の下部に設けられており、シュート５７により輸送配管５１に接続されている。定量供給機５６の供給量は、排ガスの流量に応じて制御装置５４により自動的に調整される。
【００４０】
ブロワ５３は、薬剤を輸送するために輸送配管５１に空気を供給するための装置であり、薬剤供給装置５２の上流側に配置されている。具体的には、輸送配管５１には、シュート５７が接続され薬剤が供給される位置（供給位置）に接続部５８が設けられている。ブロワ５３は、輸送配管５１において接続部５８よりも上流側に配置されている。つまり、ブロワ５３からの空気により薬剤はガスダクト３へ送られる。ここで、上流側とは、輸送配管５１における薬剤の流れ方向を基準としている。
【００４１】
接続部５８とブロワ５３との間には、付着防止剤供給装置６０により付着防止剤が供給される。具体的には図２に示すように、付着防止剤供給装置６０は主に、輸送配管５１に設けられた噴霧ノズル６１と、付着防止剤が貯留されるタンク６２と、噴霧ノズル６１に付着防止剤を供給するためのポンプ６３と、噴霧ノズル６１に圧縮空気を供給するための空気圧縮機６４と、を有している。付着防止剤は、薬剤が輸送配管５１などに付着するのを防止するためのものであり、例えばアルコール水溶液である。アルコール水溶液としては、例えば、エチレングリコールの水溶液およびブロピレングリコールの水溶液などが挙げられる。
【００４２】
ポンプ６３はタンク６２に接続されている。ポンプ６３の吐出側には、付着防止剤の供給量を調整するための流量調整バルブ６５が設けられている。流量調整バルブ６５は制御装置５４と電気的に接続されている。流量調整バルブ６５の開度は、例えば、薬剤の供給量に応じた流量となるように、制御装置５４により自動的に調整される。
【００４３】
噴霧ノズル６１は、例えば２流体ノズルであり、輸送配管５１に取り付けられている。噴霧ノズル６１の液体側の接続部は、ポンプ６３に接続されている。噴霧ノズル６１の気体側の接続部は、空気圧縮機６４に接続されている。空気圧縮機６４は、噴霧ノズル６１に圧縮空気を供給するための装置である。空気圧縮機６４からの圧縮空気により、付着防止剤は噴霧ノズル６１内で加圧され、噴霧ノズル６１から付着防止剤が圧縮空気とともに噴霧される。
【００４４】
＜動作＞
図１および図２を用いて、排ガス処理設備１および薬剤吹き込み装置５の動作について説明する。
【００４５】
図１に示すように、燃焼設備（図示せず）で発生する排ガスは、減温装置２において冷却水によりバグフィルタ４における処理温度まで減温される。減温された排ガスは、ガスダクト３内を流れて、バグフィルタ４に流れ込む。このとき、ガスダクト３では、薬剤吹き込み装置５から吹き込まれた薬剤と排ガスとが混合される。これにより、ガスダクト３およびバグフィルタ４において排ガスに含まれる酸性ガスが薬剤と反応し、酸性ガスが中和される。
【００４６】
バグフィルタ４では、排ガスに含まれる粉塵および中和処理時の反応生成物などが、ろ布により除去される。バグフィルタ４からの排ガスは、誘引通風機７により誘引され、煙突（図示せず）を介して大気中に排出される。
【００４７】
図２に示すように、薬剤吹き込み装置５では、ブロワ５３により輸送用の空気が輸送配管５１を介してガスダクト３に流れ込んでいる。輸送配管５１には定量供給機５６から薬剤が供給される。この結果、空気により薬剤が輸送配管５１内を移送され、ガスダクト３に吹き込まれる。
【００４８】
輸送配管５１には噴霧ノズル６１から付着防止剤が噴霧される。具体的には、付着防止剤がポンプ６３により噴霧ノズル６１に供給される。それと同時に、空気圧縮機６４により圧縮空気が噴霧ノズル６１に供給される。噴霧ノズル６１において、付着防止剤は圧縮空気と混合され、付着防止剤が加圧される。この結果、霧状の付着防止剤が圧縮空気とともに噴霧ノズル６１から噴霧される。
【００４９】
噴霧された付着防止剤は、輸送配管５１内でブロワ５３からの空気と混合される。付着防止剤が含まれる空気は、輸送配管５１内を流れ、接続部５８で薬剤と混合される。このとき、例えば、消石灰の粒子に付着防止剤の粒子が付着し、消石灰の粒子が付着防止剤によりコーティングされる。この結果、消石灰の粒子が輸送配管５１の内側に付着するのを防止できる。ガスダクト３には、薬剤吹き込み装置５から空気、薬剤および付着防止剤の混合流体が吹き込まれる。
【００５０】
＜効果＞
この排ガス処理設備１および薬剤吹き込み装置５により得られる効果は以下の通りである。
【００５１】
（１）
この薬剤吹き込み装置５では、輸送配管５１内に供給された薬剤がブロワ５３によりガスダクト３へ送られる。このとき、付着防止剤供給装置６０により輸送配管５１内に付着防止剤が噴霧される。このため、輸送配管５１に薬剤が付着するのを防止できる。
【００５２】
また、付着防止剤がアルコール水溶液であるため、安価なランニングコストで薬剤の付着を防止できる。
【００５３】
（２）
この場合、噴霧ノズルにより付着防止剤の粒子を細かくすることができる。これにより、付着防止効果を高めることができる。また、噴霧ノズル６１が２流体ノズルであるため、圧縮空気を用いることで噴霧ノズル６１の噴霧状態が向上し、付着防止剤の粒子をさらに細かくすることができる。これにより、付着防止効果をさらに高めることができる。
【００５４】
（３）
この薬剤吹き込み装置５では、噴霧ノズル６１が輸送配管５１において接続部５８の上流側に配置されている。このため、輸送配管５１に薬剤が付着するのを確実に防止できる。
【００５５】
また、噴霧ノズル６１が輸送配管５１においてブロワ５３の下流側に配置されているため、付着防止剤がブロワ５３に影響を及ぼさない。
【００５６】
（４）
噴霧ノズル６１の噴霧粒子径は、１０〔μｍ〕以下である。このため、薬剤の粒子に付着防止剤の粒子が均一に付着しやすくなり、付着防止効果が高まる。
【００５７】
（５）
付着防止剤の供給量は、薬剤供給装置から供給される薬剤の量に対して１００〜４００〔重量ｐｐｍ〕の範囲である。このため、薬剤の付着を確実に防止することができる。
【００５８】
（６）
以上のように、この排ガス処理設備１では、輸送配管５１に薬剤が付着するのを防止でき、薬剤の吹き込み量の安定化を図ることができる。これにより、排ガス処理設備１の性能を向上させることができる。
【００５９】
〔第２実施形態〕
前述の第１実施形態では、薬剤として消石灰を例に説明している。ここでは、薬剤が炭酸水素ナトリウムを主成分とするナトリウム系薬剤を例に、別の実施形態について説明する。図３に第２実施形態に係る薬剤吹き込み装置１０５の概略構成図を示す。なお、第１実施形態と同じ構成については、同じ符号を使用するとともに、その詳細な説明は省略する。
【００６０】
＜薬剤吹き込み装置の構成＞
図３に示すように、この薬剤吹き込み装置１０５は主に、ガスダクト３に接続された輸送配管１５１と、薬剤供給装置１５２と、薬剤粉砕機１５９と、送風機としてのブロワ１５３と、付着防止剤を供給するための付着防止剤供給装置６０と、各装置の動作を制御する制御装置１５４と、を有している。
【００６１】
薬剤供給装置１５２は、薬剤を貯留するための薬剤貯留槽１５５と、貯留された薬剤を薬剤粉砕機１５９に供給するための定量供給機１５６と、を有している。定量供給機１５６は、薬剤貯留槽１５５の下部に設けられており、第１輸送配管１５１ａが接続されている。
【００６２】
薬剤粉砕機１５９は、薬剤供給装置１５２から供給される薬剤を空気で輸送できる程度に粉砕するための装置であり、第１輸送配管１５１ａにより定量供給機１５６と接続されている。また、薬剤粉砕機１５９には第２輸送配管１５１ｂが接続されている。第２輸送配管１５１ｂには付着防止剤供給装置６０の噴霧ノズル６１が設けられている。すなわち、噴霧ノズル６１は薬剤粉砕機１５９の上流側に配置されている。
【００６３】
第１輸送配管１５１ａおよび第２輸送配管１５１ｂの入口は、大気に開放されている。第１輸送配管１５１ａには第１ダンパー１５７ａが設けられている。第２輸送配管１５１ｂには第２ダンパー１５７ｂが設けられている。第１ダンパー１５７ａおよび第２ダンパー１５７ｂにより、第１輸送配管１５１ａおよび第２輸送配管１５１ｂの空気分配が調整される。例えば、第２輸送配管１５１ｂを流れる空気量が第１輸送配管１５１ａを流れる空気量よりも多くなるように、両ダンパー１５７ａおよび１５７ｂにより空気量が調整される。
【００６４】
ブロワ５３は、薬剤を輸送するための空気の流れを形成する装置であり、薬剤粉砕機１５９の下流側に配置されている。ブロワ１５３の吸い込み側は、第３輸送配管１５１ｃにより薬剤粉砕機１５９に接続されており、ブロワ１５３の吐出側は、第４輸送配管１５１ｄによりガスダクト３に接続されている。
【００６５】
＜動作＞
図３に示すように、薬剤吹き込み装置１０５では、ブロワ１５３により輸送用の空気の流れが形成されている。具体的には、第２輸送配管１５１ｂの入口から大気が吸い込まれ、第１輸送配管１５１ａおよび第２輸送配管１５１ｂに第１ダンパー１５７ａおよび第２ダンパー１５７ｂの開度に応じた量の空気が流れる。
【００６６】
第１輸送配管１５１ａからの空気は、定量供給機１５６から供給される薬剤とともに、薬剤粉砕機１５９内に流れ込む。一方、第２輸送配管１５１ｂからの空気は、付着防止剤供給装置６０の噴霧ノズル６１から噴霧される付着防止剤とともに薬剤粉砕機１５９に流れ込む。つまり、薬剤粉砕機１５９には、輸送空気、薬剤および付着防止剤が流れ込む。
【００６７】
薬剤粉砕機１５９では、酸性ガスとの反応効率を上げるために、薬剤が細かく粉砕される。このとき、付着防止剤が薬剤粉砕機１５９の内部を流れるため、薬剤粉砕機１５９に薬剤が付着するのを防止できる。粉砕された薬剤が、輸送空気および付着防止剤とともに薬剤粉砕機１５９から排出され、ブロワ１５３に吸い込まれる。ブロワ１５３では、輸送空気、薬剤および付着防止剤が混合され、排出される。このようにして、薬剤がガスダクト３に吹き込まれる。
【００６８】
この場合、ブロワ１５３が定量供給機１５６および薬剤粉砕機１５９の下流側に配置されているため、ブロワ１５３に薬剤が付着するおそれがある。しかし、ブロワ１５３の上流側（より詳細には、薬剤粉砕機１５９の上流側）で噴霧ノズル６１により付着防止剤が供給されているため、ブロワ１５３の内部に薬剤が付着するのを防止でき、ブロワ１５３の異常振動などを防止できる。また、薬剤粉砕機１５９および輸送配管５１の内側に薬剤が付着するのを防止できる。
【００６９】
＜他の実施形態＞
本考案の具体的な構成は、前述の実施形態に限られるものではなく、考案の要旨を逸脱しない範囲で種々の変更および修正が可能である。
【００７０】
（１）
薬剤としてカルシウム系薬剤やナトリウム系薬剤を例に説明しているが、薬剤の種類はこれらに限定されない。輸送配管に付着しやすい粉体の薬剤であれば、本考案は適用可能である。
【００７１】
（２）
薬剤吹き込み装置５以外の構成は、前述の構成に限定されない。例えば、前述の第１実施形態では、集じん装置としてバグフィルタを例に説明している。しかし、集じん装置の型式としてはろ過式に限定されない。例えば、集じん装置は電気式などであってもよい。
【００７２】
（３）
前述の第１実施形態では、ブロワ５３は接続部５８の上流側に配置されている。しかし、ブロワ５３の配置は、これらの配置に限定されない。例えば、第１実施形態において、ブロワ５３が接続部５８の下流側に配置されていてもよい。
【００７３】
（４）
前述の第１実施形態では、噴霧ノズル６１が接続部５８の上流側であってブロワ５３の下流側（ブロワ５３および接続部５８の間）に配置されている。しかし、噴霧ノズル６１の配置はこれに限定されない。例えば、噴霧ノズル６１がブロワ５３の上流側（吸い込み側）に配置されていている場合、あるいは、噴霧ノズル６１が接続部５８の下流側に配置されていている場合であって、輸送配管５１への薬剤の付着を防止できる。
【００７４】
また、前述の第２実施形態では、噴霧ノズル６１が薬剤粉砕機１５９の上流側に配置されている。しかし、噴霧ノズル６１の配置はこれに限定されない。例えば、噴霧ノズル６１が薬剤粉砕機１５９とブロワ１５３との間に配置されている場合であっても、ブロワ１５３および輸送配管１５１への薬剤の付着を防止できる。また、噴霧ノズル６１がブロワ１５３の下流側に配置されている場合であっても、輸送配管１５１への薬剤の付着を防止できる。
【００７５】
（５）
前述の実施形態では、噴霧ノズル６１が２流体ノズルである。しかし、噴霧ノズル６１の形式は２流体に限定されない。例えば、輸送用の空気温度が高い場合（例えば、排ガスの一部を循環させた再循環ガスを利用する場合、温度は１６０度程度）、付着防止剤の蒸発が促進される条件であれば、噴霧ノズル６１が１流体ノズルであってもよい。この場合、空気圧縮機６４は不要となる。
【図面の簡単な説明】
【００７６】
【図１】排ガス処理設備の概略構成図（第１実施形態）
【図２】薬剤吹き込み装置の概略構成図（第１実施形態）
【図３】薬剤吹き込み装置の概略構成図（第２実施形態）
【符号の説明】
【００７７】
１  排ガス処理設備
２  減温装置
３  ガスダクト
４  バグフィルタ（集じん装置）
５  薬剤吹き込み装置
７  誘引通風機
５１  輸送配管
５２  薬剤供給装置
５３  ブロワ（送風機）
５４  制御装置
５５  薬剤貯留槽
５６  定量供給機
５７  シュート
５８  接続部（供給位置）
６０  付着防止剤供給装置
６１  噴霧ノズル
６２  タンク
６３  ポンプ
６４  空気圧縮機
６５  流量調整バルブ
【図１】
0003132902.tif 000003
【図２】
0003132902.tif 000004
【図３】
0003132902.tif 000005